(57)【要約】【課題】  従来の透析抜針漏血感知センサでは、電極２，３と枝電極４，５が導通するまでに時間が掛かり、透析針が抜けた後の抜けを検出するまでの時間が長すぎるという問題があった。【解決手段】  透析針７，８はそれぞれ中間に超音波振動子９，１０が装着され、透析針７，８の一端はそれぞれ透析機１１に接続され、他端は血管１２に挿入され、透析針７，８の一方の透析針７の超音波振動子９に発振器１３が接続され、透析針７，８の他方の透析針８の超音波振動子１０に信号検出装置１４が接続されている。  【選択図】図１
2009297405.tif 000002
【特許請求の範囲】
【請求項１】
超音波振動子をそれぞれ装着した人工透析機に接続される２つの透析針と、該２つの透析針の一方の透析針の超音波振動子に接続される発振器と、該発振器から前記一方の透析針の超音波振動子に入力された発振出力によって照射された超音波を検出するために、前記２つの透析針の他方の透析針に装着された超音波振動子に接続される信号検出装置とからなり、前記他方の透析針に装着された超音波振動子で前記一方の透析針の超音波振動子から照射された超音波が検出されない場合に、前記透析針の針抜けを検知することを特徴とする針抜け防止及び挿入方向検知装置。
【請求項２】
前記一方の透析針の超音波振動子に第２の検出装置を接続し、前記他方の透析針に装着された超音波振動子に第２の発振器を接続し、前記一方の透析針が血管の流れ方向に挿入した場合の受波信号と前記他方の透析針が血管の流れ方向と逆に挿入された場合の受波信号を前記それぞれの信号検出装置で検出することにより、透析針の正しい挿入方向を決定することを特徴とする請求項１記載の針抜け防止及び挿入方向検知装置。
【発明の詳細な説明】
【技術分野】
【０００１】
本発明は、透析針の血管からの抜けを防止するとともに、間違った挿入方向を検知することができる針抜け防止及び挿入方向検知装置に関するものである。
【背景技術】
【０００２】
従来、図５に示すように、透析抜針漏血感知センサは、吸水基材１の表面に電極２、３が平行に装着され、それらの電極２，３の間に多数の枝電極４、５が電極２，３から互いの電極近傍に突出して装着され、電極２，３はセンサ回路に接続されているものが提案されている。
【０００３】
このように構成された透析抜針漏血感知センサは、透析針６の近傍に置かれ、血管に刺されていた透析針６が血管から抜けた場合に、漏れた血液で吸水基材１が濡れ、電極２，３と枝電極４，５の間が導通することによって、その導通をセンサ回路が検出し、センサ回路内に装着されたブザーで報音するものであるが、透析針６が血管から抜けて血液が吸水基材に浸透し、さらに、電極２，３と枝電極４，５が導通するまでに時間が掛かり、透析針が抜けた後の抜けを検出するまでの時間が長すぎるという問題があった。
【特許文献１】特開２００６−５５５８８号
【発明の開示】
【発明が解決しようとする課題】
【０００４】
解決しようとする問題点は、従来の透析抜針漏血感知センサでは、電極２，３と枝電極４，５が導通するまでに時間が掛かり、透析針が抜けた後の抜けを検出するまでの時間が長すぎるという問題があった。
【課題を解決するための手段】
【０００５】
本発明は、超音波振動子をそれぞれ装着した人工透析機に接続される２つの透析針と、該２つの透析針の一方の透析針の超音波振動子に接続される発振器と、該発振器から前記一方の透析針の超音波振動子に入力された発振出力によって照射された超音波を検出するために、前記２つの透析針の他方の透析針に装着された超音波振動子に接続される信号検出装置とからなり、前記他方の透析針に装着された超音波振動子で前記一方の透析針の超音波振動子から照射された超音波が検出されない場合に、前記透析針の針抜けを検知するものであり、又、前記一方の透析針の超音波振動子に第２の検出装置を接続し、前記他方の透析針に装着された超音波振動子に第２の発振器を接続し、前記一方の透析針が血管の流れ方向に挿入した場合の受波信号と前記他方の透析針が血管の流れ方向と逆に挿入された場合の受波信号を前記それぞれの信号検出装置で検出することにより、透析針の正しい挿入方向を決定するものである。
【発明の効果】
【０００６】
本発明の針抜け防止及び挿入方向検知装置では、２つの透析針の一方の透析針に装着された超音波振動子に発振器から発振出力を印可し、一方の透析針の超音波振動子から照射された超音波は血管を通して他方の透析針に装着された超音波振動子に接続される信号検出装置で検出されるので、一方の透析針の超音波振動子から照射された超音波が信号検出装置で検出されない場合は、即座に針抜けが検出され、又、２つの透析針の超音波振動子にそれぞれ発振器を接続を接続し、２つの透析針の超音波振動子にそれぞれ信号検出装置を接続することにより、一方の透析針が血管の流れ方向に挿入した場合の受波信号と他方の透析針が血管の流れ方向と逆に挿入された場合の受波信号を前記それぞれの信号検出装置で検出することにより、透析針の正しい挿入方向を決定することができるという利点がある。
【発明を実施するための最良の形態】
【０００７】
本発明では、人工透析機に接続される２つの透析針にそれぞれ超音波振動子を装着し、一方の超音波振動子に発振器を接続し、他方の超音波振動子に信号検出装置を接続し、一方の透析針の超音波振動子から照射された超音波を他方の超音波振動子の信号検出器で検出することにより、この受波信号が検出されない場合に、透析針の血管からの針抜けを検出するものである。
【実施例】
【０００８】
図１は本発明の実施例の針抜け防止及び挿入方向検知装置の構成図で、透析針７，８はそれぞれ中間に超音波振動子９，１０が装着され、透析針７，８の一端はそれぞれ透析機１１に接続され、他端は血管１２に挿入され、透析針７，８の一方の透析針７の超音波振動子９に発振器１３が接続され、透析針７，８の他方の透析針８の超音波振動子１０に信号検出装置１４が接続されている。
【０００９】
このように構成された本実施例の針抜け防止装置では、まず、一方の透析針７の超音波振動子９に発振器１３から発振出力が印可されると、血管１２に挿入された透析針７，８が血管１２から抜けていない状態では、超音波振動子９から照射された超音波は透析針７、８に伝達されて、超音波振動子１０に伝達され、超音波振動子１０に接続された信号検出装置１４で検出されるので、図２の発振線Ａの後に超音波の受信波Ｂが検出され、異常がないことが知らされる。
【００１０】
ここで、図２に示すように、透析針７，８のいずれか一方が抜けた場合、血管１２を伝達される超音波の受信波Ｂが信号検出装置１４で検出されなくなるので、この超音波Ｂが信号検出装置１４で検出されなくなると、すぐに信号検出装置１４から異常を知らせるブザー等が報音される。
【００１１】
図３は本発明の他の実施例の針抜け防止及び挿入方向検知装置の構成図で、７，８は透析針、９，１０は超音波振動子、１１は透析機、１２は血管、１３は発振器、１４は信号検出装置で、これらの構成は上記実施例と同じであるので、説明は省略するが、本実施例では、超音波振動子９に信号検出装置１５が接続され、又、超音波振動子１０に発振器１６が接続されている。
【００１２】
このように構成された本実施例の針抜け防止及び挿入方向検知装置では、まず、透析針７、８の超音波振動子９、１０に発振器１３、１６から発振出力が印可されると、血管１２に挿入された透析針７，８が血管１２から抜けていない状態では、超音波振動子９、１０から照射された超音波は、血管１２を介してそれぞれ超音波振動子９，１０に伝達されるので、超音波振動子９，１０に接続された信号検出装置１５，１４で検出され、図４（ａ）の発振線Ａの後に超音波の受信波Ｂが検出され、異常がないことが知らされる。
【００１３】
ここで、透析針７，８のいずれか一方が抜けた場合、血管１２を伝達される超音波の受信波Ｂが信号検出装置１５，１４で検出されなくなるので、この超音波の受信波Ｂが信号検出装置１５，１４で検出されなくなると、すぐに信号検出装置１５又は１４から異常を知らせるブザー等が報音される。
【００１４】
また、図３の構成において、透析針７に装着された超音波振動子９に接続された発振器１３から発振出力が超音波振動子９に印可されると、超音波振動子９から透析針７を介して血管１２に超音波が照射され、その受波信号が信号検出装置１５で検出され、図４（ａ）の波形に示すように、発振線Ａのあとに超音波の受信波Bが検出され、又、透析針８に装着された超音波振動子１０に接続された発振器１３から発振出力が超音波振動子１０に印可されると、超音波振動子１０から透析針８を介して血管１２に超音波が照射され、その受波信号が信号検出装置１５で検出され、図４（ｂ）に示すように、発振線Ａ１の後に超音波の受信波B１が検出され、順方向と逆方向では、超音波の受信波ＢとＢ１の伝達の時間がずれる。
【００１５】
従って、透析開始前に透析針７，８を血管１２に刺して、それぞれの透析針７，８の超音波振動子９，１０に接続された発振器１３，１６に発振出力を印可し、血管１２からの受波信号をそれぞれの信号検出器１５，１４で検出することにより、図４（ａ）、（ｂ）において、発振波Ａ、Ａ１に対して超音波の受信波Ｂ、Ｂ１が出るときは正常であり、図４（ａ）、（ｂ）において、発振波Ａ、Ａ１に対して超音波の受信波Ｂ、Ｂ１が出ないときは針抜けとし、図４（ａ）、（ｂ）において、発振波Ａ、Ａ１に対して超音波の受信波ＢがＢ１の逆に出るときは、透析針７，８の刺し間違いとして、透析針７，８の血管１２の挿入を逆にして正常にすることにより、患者への負担が軽減される。
【産業上の利用可能性】
【００１６】
なお、上記実施例の針抜け防止及び挿入方向検知装置は、輸血や点滴等の針抜けを防止するために使用することができる。
【図面の簡単な説明】
【００１７】
【図１】本発明の実施例の針抜け防止及び挿入方向検知装置の構成図である。
【図２】図１の超音波振動子で検出した超音波の受信波形図である。
【図３】本発明の他の実施例の針抜け防止及び挿入方向検知装置の構成図である。
【図４】図３の超音波振動子で検出した超音波の受信波形図である。
【図５】従来の透析抜針漏血感知センサの平面図である。
【符号の説明】
【００１８】
７、８            透析針
９，１０          超音波振動子
１１              透析機
１２              血管
１３、１６        発振器
１４、１５        信号検出装置
【図１】
2009297405.tif 000003
【図２】
2009297405.tif 000004
【図３】
2009297405.tif 000005
【図４】
2009297405.tif 000006
【図５】
2009297405.tif 000007